(57)【要約】【課題】取り扱いが簡単で、使い勝手の良いロッド及びそれを用いた睫成形具を提供する。【解決手段】睫用ロッド１０は、ロッド本体２０と、複数の配列溝２１と、鍔状の固定部３０と、突起部３１と、開口部３２，３３とを備えている。ロッド本体２０は、長手方向が睫の生え際近傍に沿って湾曲し、その長手方向に対して直交する幅方向の断面がほぼ半円状をなし、底面が睫の生え際近傍に接着される。複数の配列溝２１は、ロッド本体２０の上面の幅方向に形成され、巻き上げられた睫を受け入れて配列するためのものである。固定部３０は、ロッド本体２０の背面側に延設され、長手方向がロッド本体２０の長手方向に沿って湾曲し、底面が瞼に接着される。突起部３１は、固定部３０の底面に突設され、瞼を押圧するためのものである。固定部３０の任意の位置に、空気抜き等を行う開口部３２，３３が形成されている。【選択図】      図１
2005058422.tif 000002
【特許請求の範囲】
【請求項１】
長手方向が睫の生え際近傍に沿って湾曲し、前記長手方向に対して直交する幅方向の断面がほぼ半円状をなし、底面が前記睫の生え際近傍に接着されるロッド本体と、
前記ロッド本体の上面の幅方向に形成され、巻き上げられた前記睫を受け入れて配列する複数の配列溝と、
前記ロッド本体の幅方向の背面側底部に延設され、長手方向が前記ロッド本体の長手方向に沿って湾曲し、底面が瞼に接着される鍔状の固定部と、
前記固定部の底面の背面側に突設された突起部とを備え、
前記ロッド本体、前記複数の配列溝、前記固定部、及び前記突起部が、弾力性を有する部材によって一体的に形成されていることを特徴とするロッド。
【請求項２】
請求項１記載のロッドにおいて、前記固定部の任意の位置に、開口部が形成されていることを特徴とするロッド。
【請求項３】
請求項１又は２記載のロッドにおいて、前記ロッド本体の幅方向の長さ及び高さは、前記睫の長さに応じて複数種類設定されていることを特徴とするロッド。
【請求項４】
請求項１〜３のいずれか１項に記載のロッドにおいて、前記ロッド本体の幅方向の正面側の立ち上がり角度及び背面側の立ち下がり角度は、前記睫の成形形状に応じて複数種類設定されていることを特徴とするロッド。
【請求項５】
請求項１〜４のいずれか１項に記載のロッドにおいて、前記弾力性を有する部材は、軟質樹脂、ゴム、又は海綿状の紙のいずれか１つであることを特徴とするロッド。
【請求項６】
請求項１〜５のいずれか１項に記載のロッドと、
前記ロッド本体の上面の長手方向に沿って湾曲して延びるほぼ弓形をなし、前記ロッド本体の上面側に貼着される弾力性を有するカバーと、
を備えたことを特徴とする睫成形具。
【請求項７】
請求項６記載の睫成形具において、前記カバーの幅方向の大きさは、前記ロッド本体の幅方向の長さ及び高さに応じて複数種類設定されていることを特徴とする睫成形具。
【請求項８】
請求項６又は７記載の睫成形具において、前記カバーの上面には、摘み部が突設されていることを特徴とする睫成形具。
【請求項９】
請求項６〜８のいずれか１項に記載の睫成形具において、前記カバーは、軟質樹脂、ゴム、又は海綿状の紙のいずれか１つにより形成されていることを特徴とする睫成形具。
【発明の詳細な説明】
【技術分野】
【０００１】
本発明は、睫（まつげ）にパーマネントウエーブ（以下単に「パーマ」という。）を施したり、睫を染めたり、或いは睫にマスカラ化粧料を塗布する等の際に用いられるロッドと、それを用いた睫成形具に関するものである。
【背景技術】
【０００２】
従来、睫にパーマを施す際に用いられる睫パーマ用ロッドに関する技術としては、例えば、次のような文献に記載されるものがあった。
【特許文献１】特開２００２−５８５２３号公報
【０００３】
この特許文献１に記載された睫パーマ用ロッドでは、板状の基部と、この基部の一端に形成されたロッド部とを備えている。ロッド部は、基部の表面側に断面がほぼ半円形に突出すると共に、その基部の一端に沿って延在している。基部の表面は、ロッド部を跨いで睫の先端側が接着剤により固定される睫固定面となっている。更に、基部の裏面は、接着剤により瞼に接着される瞼接着面となっている。
【０００４】
この種のロッドを用いて睫にパーマを施す際には、例えば、糊等の接着剤を基部表面の睫固定面及び基部裏面の瞼接着面に塗布しておき、ロッド部が睫の生え際に沿うように基部裏面の瞼接着面を瞼に接着、固定する。そして、ピンセット等を用いて複数本の睫をロッド部側に巻き上げ、これらの先端側をロッド部を跨いで基部表面の睫固定面に接着、固定する。次に、各睫の先端を挟むように、接着テープを基部表面の睫固定面に接着、固定する。その後、ロッド部の先端から基部側にかけてパーマ液を塗布し、所定時間経過すれば、睫全体にパーマが施される。
【発明の開示】
【発明が解決しようとする課題】
【０００５】
しかしながら、従来の特許文献１のパーマ用ロッドでは、次の（ａ）、（ｂ）のような課題があった。
【０００６】
（ａ）  睫の先端側を、ロッド部を跨いで基部表面の睫固定面に接着剤で接着、固定する構造になっているので、ロッド部の断面ほぼ半円状の寸法を大きくすると、基部表面の睫固定面に達する睫先端の長さが短くなり、この睫先端を接着剤で接着、固定する際に剥がれ易くなる。そのため、ロッド部の断面ほぼ半円状の寸法を小さくせざるを得ない。睫の長さは人によって異なるが、概ね１０ｍｍ以内であるから、ロッド部の断面寸法を小さくすると、ロッド全体が薄い板状になり、睫の生え際から先端まで美しい曲線状のカールを施すことが困難である。
【０００７】
（ｂ）  ピンセット等を用いて複数本の睫を巻き上げ、これらの先端側を基部表面の睫固定面に均等に配列して接着、固定するには熟練を要し、特に、睫の先端側を均等に配列することが難しく、使用上、不利不便である。
【０００８】
本発明は、前記従来技術が持っていた課題を解決し、取り扱いが簡単で、使い勝手が良い、ロッド及びそれを用いた睫成形具を提供することを目的とする。
【課題を解決するための手段】
【０００９】
前記課題を解決するために、本発明の内の請求項１に係る発明のロッドでは、ロッド本体と、複数の配列溝と、鍔状の固定部と、突起部とを備えている。
【００１０】
前記ロッド本体は、長手方向が睫の生え際近傍に沿って湾曲し、前記長手方向に対して直交する幅方向の断面がほぼ半円状をなし、底面が前記睫の生え際近傍に接着されるものである。前記複数の配列溝は、前記ロッド本体の上面の幅方向に形成され、巻き上げられた前記睫を受け入れて配列するものである。前記鍔状の固定部は、前記ロッド本体の幅方向の背面側底部に延設され、長手方向が前記ロッド本体の長手方向に沿って湾曲し、底面が瞼に接着されるものである。
【００１１】
更に、前記突起部は、前記固定部の底面の背面側に突設されている。そして、前記ロッド本体、前記複数の配列溝、前記固定部、及び前記突起部は、弾力性を有する部材によって一体的に形成されている。
【００１２】
請求項２に係る発明では、請求項１のロッドにおいて、前記固定部の任意の位置に、開口部が形成されている。
【００１３】
請求項３に係る発明では、請求項１又は２のロッドにおいて、前記ロッド本体の幅方向の長さ及び高さは、前記睫の長さに応じて複数種類設定されている。
【００１４】
請求項４に係る発明では、請求項１〜３のいずれか１項のロッドにおいて、前記ロッド本体の幅方向の正面側の立ち上がり角度及び背面側の立ち下がり角度は、前記睫の成形形状に応じて複数種類設定されている。
【００１５】
請求項５に係る発明では、請求項１〜４のいずれか１項のロッドにおいて、前記弾力性を有する部材は、軟質樹脂、ゴム、又は海綿状の紙のいずれか１つである。
【００１６】
請求項６に係る発明の睫成形具では、請求項１〜５のいずれか１項のロッドと、弾力性を有するカバーとを備えている。前記カバーは、前記ロッド本体の上面の長手方向に沿って湾曲して延びるほぼ弓形をなし、前記ロッド本体の上面側に接着されるものである。
【００１７】
請求項７に係る発明では、請求項６の睫成形具において、前記カバーの幅方向の大きさは、前記ロッド本体の幅方向の長さ及び高さに応じて複数種類設定されている。
【００１８】
請求項８に係る発明では、請求項６又は７の睫成形具において、前記カバーの上面には、摘み部が突設されている。
【００１９】
請求項９に係る発明では、請求項６〜８のいずれか１項の睫成形具において、前記カバーは、軟質樹脂、ゴム、又は海綿状の紙のいずれか１つにより形成されている。
【発明の効果】
【００２０】
請求項１、３〜５に係る発明によれば、睫の長さに応じたサイズのロッドを用い、このロッド本体の断面ほぼ円形の上面へ、睫を巻き上げるようにしたので、睫の根本から毛先までの全体に、パーマ等を綺麗に施すことができる。しかも、固定部の底面の背面側に突起部を設けたので、例えば、ロッドを瞼に接着する際に、該ロッドを軽く瞼に押し付けると、固定部によって瞼が押圧され、その固定部に接着された睫の生え際近傍が持ち上げられ、睫が立ち上がる。そのため、睫をロッド本体に容易に巻き上げることができる。その上、ロッド本体の上面に複数の配列溝を形成したので、例えば、複数の睫をロッド本体に巻き上げて、これらの各睫が重ならないように容易に各配列溝内に配列して固定することができる。そのため、各睫間の間隔が均等になり、パーマ等を綺麗に施すことができる。
【００２１】
請求項２に係る発明によれば、固定部に開口部を形成したので、例えば、ロッドを瞼に接着する際に、このロッドの裏面と瞼との間の空気が、開口部から外部へ抜ける。そのため、ロッドの底面を簡単に瞼に密着できる。又、開口部を形成することにより、固定部の屈曲性や柔軟性が増し、瞼の表面へより密着し易くなる。
【００２２】
請求項６〜９に係る発明によれば、例えば、配列溝内に配列された睫に揮発性のパーマ液等を塗布した後、この上からカバーを接着するようにしたので、睫の跳ね上がりを防止できる。しかも、塗布後のパーマ液等の揮発による減少を抑制できるので、パーマ液等の塗布量を削減できる。
【発明を実施するための最良の形態】
【００２３】
睫用ロッドは、長手方向が睫の生え際近傍に沿って湾曲するロッド本体を有している。ロッド本体は、長手方向に対して直交する幅方向の断面がほぼ半円状をなし、この底面が睫の生え際近傍に糊等の接着剤により接着される。ロッド本体の幅方向の背面側底部には、鍔状の固定部が延設されている。この固定部は、長手方向がロッド本体の長手方向に沿って湾曲し、この底面が瞼に糊等の接着剤により接着される。ロッド本体の上面の幅方向には、複数の配列溝が形成されている。複数の配列溝は、ピンセット等で巻き上げられた複数の睫を受け入れて配列するための溝であり、これらの配列溝内に配置された複数の睫が、糊等の接着剤により固定される。
【００２４】
固定部の底面の背面側には、突起部が突設されている。例えば、ロッドを瞼に接着する際に、該ロッドを軽く瞼に押し付けると、固定部によって瞼が押圧され、その固定部に接着された睫の生え際近傍が持ち上げられ、睫が立ち上がる。そのため、睫をロッド本体に容易に巻き上げることができる。固定部には開口部が形成されている。この開口部は、糊等の接着剤により固定部の底面を瞼に接着する際に、固定部と瞼との間の空気を抜いて該固定部の接着や剥離を容易にしたり、或いは固定部の屈曲性や柔軟性等を向上させるためのものである。
【００２５】
これらのロッド本体、複数の配列溝、固定部、突起部及び開口部は、弾性を有する部材（例えば、軟質樹脂、シリコンゴム等のゴム、海綿状の紙等）を用いて金型等により一体的に形成されている。ロッドの形状には、例えば、睫を大きな仰角で立ち上げるタイプ、或いは睫を少し小さな仰角で巻き上げて大きなカールを形成するタイプ等がある。各タイプ共に、睫の長さに応じて複数種類のサイズが設定されている。
【実施例１】
【００２６】
（構成）
図１（１）〜（７）は本発明の実施例１を示す睫成形具のロッドの構成図であり、同図（１）は正面図、同図（２）は上面から見た平面図、同図（３）は左側面図、同図（４）は底面図、同図（５）は背面図、同図（６）は同図（１）中のＡ部分の拡大図、及び同図（７）は同図（１）中のＢ１−Ｂ２線拡大断面図である。
【００２７】
睫成形具は、ロッドとカバーとで構成されている。図１に示すロッド１０は、長手方向が睫の生え際近傍に沿って湾曲するロッド本体２０を有している。ロッド本体２０は、長手方向の両端から中央に向かって徐々に高さが高くなり、長手方向に対して直交する幅方向の長さが、長手方向両端から長手方向中央に向かって徐々に大きくなり、且つ幅方向の断面がほぼ半円状をなし、この底面が睫の生え際近傍に糊等の接着剤により接着されるようになっている。ロッド本体２０の幅方向の背面側底部には、鍔状の固定部３０が延設されている。この固定部３０は、長手方向がロッド本体２０の長手方向に沿って湾曲し、この底面が瞼に糊等の接着剤により接着されるようになっている。
【００２８】
ロッド本体２０の上面の幅方向には、頂部から背面部にかけて断面凹状をなす複数の配列溝２１が形成されている。複数の配列溝２１は、ピンセット等で巻き上げられた複数の睫を受け入れて配列するための溝であり、これらの配列溝２１内に配置された複数の睫が、糊等の接着剤により固定されるようになっている。
【００２９】
固定部３０の底面の背面側には、突起部３１が突設されている。突起部３１は、固定部３０の長手方向に弧状に延びており、瞼への固定部３０の接着時に押圧されると、この固定部３０に接着された睫の生え際近傍が持ち上げられ、該睫の巻き上げを容易にするためのものである。固定部３０において、ロッド本体２０と突起部３１との間には、左右一対の開口部３２，３３が形成されている。開口部３２，３３は、糊等の接着剤により固定部３０の底面を瞼に接着する際に、固定部３０と瞼との間の空気を抜いて該固定部３０の接着や剥離を容易にしたり、或いは固定部３０の屈曲性や柔軟性等を向上させるためのものである。
【００３０】
これらのロッド本体２０、複数の配列溝２１、固定部３０、突起部３１及び開口部３２，３３は、弾性を有する部材（例えば、軟質樹脂、シリコンゴム等のゴム、海綿状の紙等）を用いて金型等により一体的に形成されている。
【００３１】
ロッド１０の形状には、例えば、睫を大きな仰角で立ち上げる立ち上げ用のＡタイプと、睫を少し小さな仰角で巻き上げて大きなカールを形成するカール用のＣタイプとがある。Ａタイプ及びＣタイプ共に、睫の長さに応じて複数種類のサイズ（例えば、小形のＳサイズ、中形のＭサイズ、大形のＬサイズ、特大のＬＬサイズ）が設定されている。
【００３２】
ロッド１０の正面から見た横の長さＬ１、ロッド１０の正面から見た各配列溝２１の幅Ｌ２、各配列溝２１の深さＬ３、ロッド１０の上面から見た縦の幅Ｌ４、、ロッド１０の背面から見た固定部３０の高さＬ５、及びロッド１０の底面から見た突起部３１の横の長さＬ６は、Ａタイプ及びＣタイプ共に、Ｓ、Ｍ、Ｌ、ＬＬサイズ共通で、例えば、次のような寸法である。
【００３３】
Ｌ１＝３２．７ｍｍ、Ｌ２＝１ｍｍ、Ｌ３＝０．２ｍｍ、Ｌ４＝１５ｍｍ、Ｌ５＝９．２５ｍｍ、Ｌ６＝１２ｍｍ
【００３４】
ロッド１０の上面から見たロッド本体２０の中央部の幅Ｌ７、ロッド本体２０の両端部の幅Ｌ８、及びロッド１０の背面から見たロッド本体２０の中央部の固定部表面からの高さＬ９は、Ａタイプ、Ｃタイプ、及びＳ、Ｍ、Ｌ、ＬＬサイズ毎に異なり、例えば、次のような寸法である。
【００３５】
Ａタイプの場合
Ｌ７；Ｓ＝４．６ｍｍ、Ｍ＝６．４ｍｍ、Ｌ＝７．９ｍｍ、ＬＬ＝９．４ｍｍ
Ｌ８；Ｓ＝１．９ｍｍ、Ｍ＝３．６ｍｍ、Ｌ＝５．２ｍｍ、ＬＬ＝６．５ｍｍ
Ｌ９；Ｓ＝１．２ｍｍ、Ｍ＝１．５ｍｍ、Ｌ＝２．２ｍｍ、ＬＬ＝３．２ｍｍ
【００３６】
Ｃタイプの場合
Ｌ７；Ｓ＝３．６ｍｍ、Ｍ＝４．９ｍｍ、Ｌ＝５．４ｍｍ、ＬＬ＝６．９ｍｍ
Ｌ８；Ｓ＝１．８ｍｍ、Ｍ＝２．１ｍｍ、Ｌ＝２．７ｍｍ、ＬＬ＝４．０ｍｍ
Ｌ９；Ｓ＝２．２ｍｍ、Ｍ＝３．０ｍｍ、Ｌ＝４．２ｍｍ、ＬＬ＝４．７ｍｍ
【００３７】
なお、ロッド本体２０と突起部３１との間に形成される開口部３２，３３の寸法は、ロッド１０のサイズ（Ｓ、Ｍ、Ｌ、ＬＬサイズ）に応じて適宜設定される。
【００３８】
図２（１）〜（５）は本発明の実施例１を示す睫成形具のカバーの構成図であり、同図（１）は正面図、同図（２）は上面から見た平面図、同図（３）は左側面図、同図（４）は同図（１）中のＣ１−Ｃ２線拡大断面図、及び同図（５）は同図（３）中のＤ１−Ｄ２線拡大断面図である。
【００３９】
図２に示すカバー４０は、ロッド本体２０の上面に着脱自在に接着されるものである。このカバー４０は、ロッド本体２０の上面の長手方向に沿って湾曲して延びるほぼ弓形をなし、この弓形の底面の断面が湾曲した接着面４１が、ロッド本体２０側の複数の配列溝２１に配列された睫を押さえるように接着される。カバー４０の接着面４１は、ロッド本体２０の上面よりも細くなっている。更に、カバー４０の上面には、摘み部４２が突設されている。これらのカバー４０及び摘み部４２は、弾性を有する部材（例えば、軟質樹脂、シリコンゴム等のゴム、海綿状の紙等）を用いて金型等により一体的に形成されている。
【００４０】
カバー４０の形状は、ロッド１０のＡタイプ及びＣタイプに共通であるが、適合するロッド１０の大きさに応じて複数種類のサイズ（例えば、ロッド１０のＳ、Ｍサイズに適合するＳ・Ｍサイズ、ロッド１０のＬ、ＬＬサイズに適合するＬ・ＬＬサイズ）に設定されている。
【００４１】
カバー４０の正面から見た横の長さＬ１０、厚さＬ１１、摘み部４２の長さＬ１２、幅Ｌ１３、接着面４１から摘み部４２の上面までの高さＬ１４は、Ｓ・Ｍ、Ｌ・ＬＬサイズ共通で、例えば、次のような寸法である。
【００４２】
Ｌ１０＝３０．７ｍｍ、Ｌ１１＝１ｍｍ、Ｌ１２＝１０ｍｍ、Ｌ１３＝１ｍｍ、Ｌ１４＝３ｍｍ
【００４３】
カバー４０の上面から見た中央部の幅Ｌ１５、及び両端部の幅Ｌ１６は、Ｓ・Ｍサイズ、及びＬ・ＬＬサイズ毎に異なり、例えば、次のような寸法である。
【００４４】
Ｓ・Ｍサイズの場合
Ｌ１５＝３ｍｍ、Ｌ１６＝１ｍｍ
【００４５】
Ｌ・ＬＬサイズの場合
Ｌ１５＝５ｍｍ、Ｌ１６＝２．２ｍｍ
【００４６】
（睫パーマ用としての使用例）
図３（１）、（２−１）、（２−２）、（３）は図１のロッド１０及び図２のカバー４０の使用例を示す瞼付近の図であり、同図（１）、（２−１）、（３）は左側面図、及び同図（２−２）は正面図である。
【００４７】
本実施例１の睫成形具の使用例として、例えば、図３に示すように、目５０を覆う瞼（上瞼５１或いは下瞼５２）に生えている睫（上睫５３或いは下睫５４）にパーマを施す場合を説明する。
【００４８】
例えば、上睫５３にパーマを施す場合、先ず、睫成形に使用するロッド１０の種類（立ち上げ用のＡタイプ又はカール用のＣタイプ）を選び、上睫５３の長さに応じて使用するサイズ（Ｓ、Ｍ、Ｌ又はＬＬサイズ）を決める。このロッド１０のサイズに応じて、使用するカバー４０のサイズ（Ｓ・Ｍ又はＬ・ＬＬサイズ）も決める。
【００４９】
図３（１）に示すように、選定されたロッド１０におけるロッド本体２０の底面付近と固定部３０の底面の突起部３１付近とに、水溶性糊等の接着剤５５を塗布する。そして、ロッド本体２０を下向きにした状態で、上瞼５１に対してロッド１０を矢印Ｅ方向へ軽く押圧し、該ロッド１０の底面を上睫５３の生え際近傍に接着する。すると、ロッド１０の裏面と上瞼５１との間の空気が、このロッド１０の開口部３２，３３から外部へ抜け、該ロッド１０の裏面が上瞼５１に簡単に密着される。この際、ロッド１０の底面の背面側に設けられた突起部３１により、上瞼５１が矢印Ｆ方向へ押圧されるので、上睫５３の生え際近傍が矢印Ｇ方向に持ち上がり、複数の上睫５３が立ち上がる。
【００５０】
次に、図３（２−１）、（２−２）に示すように、ロッド本体２０の上面の配列溝２１付近に水溶性糊等の接着剤５６を塗布し、立ち上がっている複数の上睫５３を１本ずつピンセット等で摘んで矢印Ｈ方向に巻き上げ、これらの複数の上睫５３を重ならないようにして各配列溝２１内に配列し、接着剤５６で固定する。
【００５１】
続いて、図３（３）に示すように、複数の配列溝２１内に配列された複数の上睫５３に揮発性のパーマ液５７を塗布する。この際、上睫５３の生え際近傍がロッド１０で覆われているので、目元付近の余分な箇所にパーマ液５７が付着しない。パーマ液塗布後、ピンセット等でカバー４０の摘み部４２を摘み、このカバー４０の接着面４１を、矢印Ｉ方向からロッド本体２０の上面の正面寄りに軽く押し付け、上睫５３に塗布されたパーマ液５７によってカバー４０を貼着する。すると、配列溝２１とカバー４０とによって上睫５３が挟持され、該上睫５３の跳ね上がりが防止されると共に、パーマ液５７の揮発による減少が抑制される。
【００５２】
なお、パーマ液５７として、数種類の液を使用する場合は、例えば、１液を塗布してそれにカバー４０を貼着して十数分放置した後、カバー４０を剥がして２液を塗布し、再度それにカバー４０を貼着して十数分放置する、といった処理を繰り返す。
【００５３】
このようなパーマ液塗布作業を行って所定時間経過すると、上睫５３に、ロッド本体２０の上面の曲線に応じたパーマが施される。その後、ピンセット等でカバー４０の摘み部４２を摘んでこのカバー４０を外し、上睫５３に付着しているパーマ液５７を綿棒等で拭き取り、ロッド本体２０上の接着剤５６と上瞼５１上の接着剤５５とに、綿棒や筆等で水又は除去液を塗布する。すると、接着剤５５，５６が溶けるので、ピンセット等でロッド１０を上瞼５１から剥がし、目５０の周りを綺麗に拭けば、パーマ処理が終了する。
【００５４】
又、下睫５４にパーマを施す場合は、ロッド本体２０を上向きにした状態でロッド１０を水溶性糊等の接着剤で下瞼５２に接着し、上記とほぼ同様のパーマ処理を行えば良い。なお、下睫５４は上睫５３に比べて柔らかく、この下睫５４をロッド本体２０の上面に接着した際に跳ね上がらなければ、カバー４０を使わなくても良い。
【００５５】
（睫染め用としての使用例）
図１のロッド１０及び図２のカバー４０を用いて、図３のように睫（上睫５３或いは下睫５４）にパーマを施した後、この睫（上睫５３或いは下睫５４）を任意の色に染める場合、例えば、図３（３）のパーマ処理が終了した後、ピンセット等を用いてカバー４０を外す（なお、下睫５４のパーマ処理においてカバー４０を使わないときには、このカバー除去処理は不要である）。
【００５６】
次に、睫に付着しているパーマ液を綿棒等で拭き取り、この睫に筆等で染色液を塗布する。この際、睫の生え際近傍がロッド１０で覆われているので、目元付近の余分な箇所に染色液が付着しない。染色液を塗布した後、再度、ピンセット等を用いて睫にカバー４０の接着面４１を軽く押し付ければ、このカバー４０が貼着される（なお、下睫５４の染色処理においてカバー４０を使わないときには、このカバー貼着処理は不要である）。
【００５７】
所定時間放置した後、カバー４０を外し（なお、カバー４０を使わないときには、このカバー除去処理は不要である）、睫に付着している染色液を綿棒等で拭き取り、ロッド本体２０上の接着剤５６と瞼上の接着剤５５とに、綿棒や筆等で水又は除去液を塗布してその接着剤５５，５６を溶かす。その後、ピンセット等でロッド１０を剥がし、目５０の周りを綺麗に拭けば、パーマ処理及びその後の染色処理が終了する。
【００５８】
又、例えば、パーマを施さないで、睫（上睫５３或いは下睫５４）を任意の色に染める場合は、例えば、図３（１）、（２）とほぼ同様にして、ロッド本体２０の上面に、水溶性糊等の接着剤５６で複数の睫を接着する。この際、各睫間の配列間隔を気にする必要がないので、複数の睫を単にロッド本体２０の上面に固定すれば良い。次に、睫に筆等で染色液を塗布する。この際、睫の生え際近傍がロッド１０で覆われているので、目元付近の余分な箇所に染色液が付着しない。染色液を塗布した後、ピンセット等を用いて睫にカバー４０を貼着する（カバー４０を使わないときには不要）。
【００５９】
そして、所定時間放置した後、カバー４０を外し（カバー４０を使わないときには不要）、上記と同様に、睫に付着している染色液を綿棒等で拭き取り、水又は除去液を塗布して接着剤５５，５６を溶かし、ロッド１０を瞼から剥がして目５０の周りを綺麗に拭けば、染色処理が終了する。
【００６０】
（マスカラ用としての使用例）
例えば、揮発性のマスカラ化粧料を睫（上睫５３或いは下睫５４）に塗布する場合、図３（１）と同様に、ロッド１０を軽く瞼（上瞼５１或いは下瞼５２）に押し付けて接着剤５５で接着する。通常、マスカラ化粧料には粘着力があるので、ロッド本体２０への接着剤５６の塗布は不要である。
【００６１】
ロッド１０を押し付けて瞼に接着すると、ロッド１０の底面の背面側に設けられた突起部３１により、瞼が矢印Ｆ方向へ押圧されるので、睫の生え際近傍が矢印Ｇ方向に持ち上がり、複数の睫が立ち上がる。そこで、マスカラ用ブラシ等にマスカラ化粧料を塗布し、このブラシ等をロッド本体２０の上面の配列溝２１に沿って移動させれば、容易にマスカラ化粧料を各睫に均一に塗布することができる。しかも、睫の生え際近傍がロッド１０で覆われているので、目元付近の余分な箇所にマスカラ化粧料が付着しない。
【００６２】
なお、カバー４０は使用しない。これは、睫に塗布されたマスカラ化粧料には粘着力があるので、睫をカバー４０で押さえて跳ね上がりを防止する必要がないことと、マスカラ化粧料は乾かさないといけないので、カバー４０を使用すると乾かないからである。
【００６３】
マスカラ化粧料を塗布して数分経過し、半乾きになったところで、静かにロッド１０を剥がし、睫の裏側（ロッド本体２０側）のマスカラ化粧料を乾かす。睫全体のマスカラ化粧料が乾いた後、目５０の周りを拭けば、マスカラ処理が終了する。
【００６４】
（効果）
本実施例１では、  次の（１）〜（５）のような効果がある。
【００６５】
（１）  ロッド１０の固定部３０に開口部３２，３３を形成したので、ロッド１０を瞼（上瞼５１或いは下瞼５２）に貼着する際に、このロッド１０の裏面と瞼との間の空気が、開口部３２，３３から外部へ抜ける。そのため、ロッド１０の底面を簡単に瞼に密着できる。又、開口部３２，３３を形成することにより、固定部３０の屈曲性や柔軟性が増し、瞼の表面へより密着し易くなる。
【００６６】
（２）  ロッド１０の底面の背面側に突起部３１を設けたので、軽く押圧してロッド１０の底面を瞼に接着する際に、該突起部３１により瞼が押圧されて睫の生え際近傍が持ち上がり、睫が立ち上がる。そのため、睫を容易に巻き上げることができる。
【００６７】
（３）  睫の長さに応じたサイズのロッド１０を用い、このロッド本体２０の断面ほぼ円形の上面に睫を巻き上げ、パーマ液５７、染色液或いはマスカラ化粧料等を塗布してパーマ、染色或いはマスカラ等を施すようにしたので、睫の根本から毛先までの全体に、パーマ、染色或いはマスカラ等を綺麗に施すことができる。
【００６８】
（４）  ロッド本体２０の上面に複数の配列溝２１を形成したので、複数の睫を１本ずつピンセット等で摘んで巻き上げ、これらの複数の睫を重ならないように容易に各配列溝２１内に配列して固定することができる。そのため、各睫間の間隔が均等になり、パーマやマスカラ等を綺麗に施すことができる。
【００６９】
（５）  配列溝２１内に配列された睫に揮発性のパーマ液５７、或いは染色液等を塗布した後、この上からカバー４０を貼着するようにしたので、睫の跳ね上がりを防止できる。しかも、塗布後のパーマ液５７、或いは染色液等の揮発による減少を抑制できるので、パーマ液５７、或いは染色液等の塗布量を削減できる。
【実施例２】
【００７０】
本発明は、上記実施例１に限定されず、それらを種々変更して実施することができる。他の実施例２としては、例えば、次の（ａ）〜（ｅ）のようなものがある。
【００７１】
（ａ）  図３（１）、（２）において、予め、ロッド１０の底面のロッド本体底面付近及び突起部３１付近に、接着剤５５を塗布してこの接着剤５５をシール等で被覆すると共に、必要に応じてロッド本体２０の上面に、接着剤５６を塗布してこの接着剤５６をシール等で被覆しておく。そして、使用時において接着剤５５，５６を被覆しているシール等を剥がし、その接着剤５５箇所を瞼に接着すると共に、その接着剤５６箇所に睫を接着する構成にしても良い。このような構成にすれば、使用時における接着剤５５，５６の塗布作業を省略でき、使い勝手がよい。なお、ロッド１０の底面全体に接着剤５５を塗布しておいても良い。
【００７２】
（ｂ）  図３（３）において、予め、カバー４０の接着面４１に、接着剤を塗布してこの接着剤をシール等で被覆しておく。そして、使用時においてその接着剤を被覆しているシール等を剥がし、その接着剤箇所をロッド本体２０の上面側に接着する構成にしても良い。このような構成にすれば、パーマ液５７、或いは染色液等による接着力不足を補強することができ、使い勝手がよい。
【００７３】
（ｃ）  図１（６）の配列溝２１において、例えば、幅Ｌ２を１ｍｍ、深さＬ３を０．２ｍｍに設定しているが、この幅Ｌ２を小さくすると共に、深さＬ３を大きくして、睫を緩挿する構成にしても良い。このような構成にすれば、接着剤５６を使用しなくても、睫を配列して固定できるので、使い勝手が良い。
【００７４】
（ｄ）  ロッド１０におけるロッド本体２０や固定部３０、或いはカバー４０の形状、寸法等は、図示以外のものに種々変更が可能である。例えば、ロッド１０の開口部３２，３３は、楕円形や円形等の他の形状や寸法に変更したり、或いはその数を１個又は３個以上にしても良い。又、場合によっては、開口部３２，３３を設けなくても良い。
【００７５】
（ｅ）  図１のロッド１０と図２のカバー４０とは、分離構造であるが、これを連結構造にしても良い。例えば、図１（２）のロッド本体２０の右端又は左端と、図２（２）のカバー４０を裏返した左端又は右端とを、折り曲げ可能な連結部を介して相互に連結した連結構造にしても良い。このような連結構造にすれば、ロッド１０及びカバー４０の保管等が容易になる。又、連結構造の形状等を工夫することにより、使用時においてロッド１０へのカバー４０の装着作業を容易にすることも可能である。
【産業上の利用可能性】
【００７６】
本発明の睫用ロッドは、睫にパーマを施したり、睫を染めたり、或いは睫にマスカラ化粧料を塗布する等、睫成形のための種々の用途に利用できる。
【図面の簡単な説明】
【００７７】
【図１】本発明の実施例１を示す睫形成具のロッドの構成図である。
【図２】本発明の実施例１を示す睫形成具のカバーの構成図である。
【図３】図１のロッド１０及び図２のカバー４０の使用例を示す瞼付近の図である。
【符号の説明】
【００７８】
１０          ロッド
２０          ロッド本体
２１          配列溝
３０          固定部
３１          突起部
３２，３３    開口部
４０          カバー
【図１】
2005058422.tif 000003
【図２】
2005058422.tif 000004
【図３】
2005058422.tif 000005